(57)【要約】【課題】  消臭効果を発揮すると共に、履物使用者の足に所定の磁力線を与えることができる履物用中敷を提供する。【解決手段】  シート部材１１，１３は、足裏の形状をしている。シート部材１１,１３は重ね合わせた状態で、熱溶着されている。重ね合わされたシート部材１１，１３の間のつま先部と対向する位置に銅板２１が固定されている。重ね合わされたシート部材１１，１３の間の土踏まず部と対向する位置に複数の薄板状の磁石２３１，２３２，２３３が固定されている。【選択図】図１
2018086253.tif 000002
【特許請求の範囲】
【請求項１】
履物使用者の前踏部と土踏まず部と踵部に対応する足形外郭形状に形成され靴状の履物内底部に敷設される履物用中敷において、
前記履物使用者のつま先部と対向して位置する銅板と、
前記履物使用者の前記土踏まず部に対向して位置する磁石と
を有する履物用中敷。
【請求項２】
通気性を持つ複数のシート部材を重ね合わせて構成され、
前記銅板と前記磁石とは複数の前記シート部材の間に挟み込まれて保持されている
請求項１に記載の履物用中敷。
【請求項３】
前記磁石は、複数の異方性フェライトである
請求項１または請求項２に記載の履物用中敷。
【請求項４】
前記磁石は、前記土踏まず部に対向する面が、前記土踏まず部に向けて滑らかに凸となる曲面である
請求項１〜３のいずれかに記載の履物用中敷。
【請求項５】
前記銅板は、つま先部の先端に向けて幅が小さくなっている
請求項１〜４のいずれかに記載の履物用中敷。
【発明の詳細な説明】
【技術分野】
【０００１】
本発明は、履物用中敷に関するものである。
【背景技術】
【０００２】
靴の中敷き（インソール）に、足のつぼが位置される箇所に合わせて、焼結磁石を埋め込ませるなどして、使用者の足裏に磁気を作用させるようにしたものが知られている。（例えば、特許文献１参照）
【先行技術文献】
【特許文献】
【０００３】
【特許文献１】特開２００７−６１２３５号公報
【発明の開示】
【発明が解決しようとする課題】
【０００４】
ところで、従来の履物用中敷では、消臭効果が得られないという問題がある。また、使用する磁石量に比べて効果が低いという問題がある。
【０００５】
本発明はかかる事情に鑑みてなされたものであり、その目的は、消臭効果を発揮すると共に、履物使用者の足に所定の磁力線を与えることができる履物用中敷を提供することにある。
【課題を解決するための手段】
【０００６】
上述した従来技術の問題点を解決し、上述した目的を達成するために、本発明は、履物使用者の前踏部と土踏まず部と踵部に対応する足形外郭形状に形成され靴状の履物内底部に敷設される履物用中敷であって、前記履物使用者のつま先部と対向して位置する銅板と、前記履物使用者の前記土踏まず部に対向して位置する磁石とを有する。
【０００７】
好適には、本発明は、通気性を持つ複数のシート部材を重ね合わせて構成され、前記銅板と前記磁石とは複数の前記シート部材の間に挟み込まれて保持されている。
【０００８】
好適には、本発明の前記磁石は、複数の異方性フェライトである。
好適には、前記磁石は、前記土踏まず部に対向する面が、前記土踏まず部に向けて滑らかに凸となる曲面である。
好適には、前記銅板は、つま先部の先端に向けて幅が小さくなっている。
【発明の効果】
【０００９】
本発明によれば、消臭効果を発揮すると共に、履物使用者の足に所定の磁力線を与えることができる履物用中敷を提供することができる。
【図面の簡単な説明】
【００１０】
【図１】図１は、本発明の実施形態に係る履物用中敷の正面図である。
【図２】図２は、図１に示す履物用中敷の図１に示すＡ−Ａ断面線における断面構成図である。
【図３】図３は、図１に示す履物用中敷の図１に示すＢ−Ｂ断面線における断面構成図である。
【図４】図４は、本発明のその他の実施形態の履物用中敷の正面図である。
【図５】図５は、図４に示す磁石の形状を説明するための図であり、図５（Ａ）は正面図、図５（Ｂ）は側面図である。
【図６】図６は、銅板のその他の例の正面図である。
【図７】図７は、５層構造の履物用中敷を説明するための図である。
【発明を実施するための形態】
【００１１】
図１は、本発明の実施形態に係る履物用中敷１の正面図である。図２は、図１に示す履物用中敷１の図１に示すＡ−Ａ断面線における断面構成図である。図３は、図１に示す履物用中敷１の図１に示すＢ−Ｂ断面線における断面構成図である。
【００１２】
図１に示す履物用中敷１は、履物使用者の前踏部と土踏まず部と踵部に対応する足形外郭形状に形成され靴状の履物内底部に敷設されるものである。
図１に示すように、履物用中敷１は、例えば、２枚のシート部材１１，１３を有する。
シート部材１１とシート部材１３とは、足裏の形状をしており、略同一形状である。シート部材１１とシート部材１３とは重ね合わせた状態で、熱溶着されている。シート材１１，１３としては、例えばポリ塩化ビニリデンが用いられる。
【００１３】
重ね合わされたシート部材１１，１３の間のつま先部と対向する位置に銅板２１が固定されている。銅板２１としては、例えば、タフピッチ銅が用いられる。
また、重ね合わされたシート部材１１，１３の間の土踏まず部と対向する位置に複数の薄板状の磁石２３１，２３２，２３３が固定されている。
磁石２３１，２３２，２３３は、異方性フェライトである。磁石２３１，２３２，２３３は、例えば、直径８ｍｍｍ、厚み４ｍｍである。磁石２３１，２３２，２３３としては、例えば、酸化鉄を主成分とするセラミックスが用いられる。
【００１４】
履物用中敷１を履物に敷設した状態で履物使用者が履物を履くと、履物使用者の土踏まず部が磁石２３１，２３２，２３３と対向して位置し、当該土踏まず部に磁石２３１，２３２，２３３からの磁力線が通る。履物使用者の土踏まずに磁石２３１，２３２，２３３からの磁力線が通ると、履物使用者の足の疲れが低減することが
【００１５】
また、履物用中敷１を履物に敷設した状態で履物使用者が履物を履くと、履物使用者がつま先部と銅板２１とが対向して位置し、消臭効果が発揮される。
【００１６】
以上説明したように、履物用中敷１によれば、消臭効果を発揮すると共に、履物使用者の足に所定の磁力線を与えることができ、履物使用者の足の疲れを低減できる。
【００１７】
本発明は上述した実施形態には限定されない。
すなわち、当業者は、本発明の技術的範囲またはその均等の範囲内において、上述した実施形態の構成要素に関し、様々な変更、コンビネーション、サブコンビネーション、並びに代替を行ってもよい。
例えば、上述した実施形態では、つま先部のみに銅板２１を設けた場合を例示したが、つま先部以外にも銅板を設けてもよい。
また、上述した実施形態では、土踏まず部に磁石２３１，２３２，２３３を設けたを例示したが、土踏まず以外の位置に磁石を設けてもよい。また、磁石の数、形状及び大きさは任意である。
【００１８】
図４は、本発明のその他の実施形態の履物用中敷１０１の正面図である。
図４に示すように、履物用中敷１０１の銅板３２１は、図１に示す銅板２１に比べて、細長い形状をしている。銅板３２１の側辺は滑らかに曲線となっている。
【００１９】
図５は磁石２３１，２３２，２３３の形状を説明するための図であり、図５（Ａ）は正面図、図５（Ｂ）は側面図である。
図５に示すように、磁石２３１，２３２，２３３は、薄い円形状をしており、土踏まず部に対向する面が、土踏まず部に向けて滑らかに凸となる曲面２３１ａ，２３２ａ，２３３ａとなっている。
【００２０】
また、図６は、銅板３２１のその他の形状例である。図６に示すように、銅板３２１は側辺を直線状にしてもよい。
【００２１】
また、履物用中敷１０１は、図７に示すように、５層構造にして中間層に、磁石２３１，２３２，２３３か及び銅板３２１を挟み込んで収容してもよい。
【００２２】
また、履物用中敷１，１０１と靴底との間に、ポリ塩化ビニル等から構成される滑り止めシートを設けてよい。
【産業上の利用可能性】
【００２３】
本発明の靴等の履物用中敷に適用可能である。
【符号の説明】
【００２４】
１，１０１…履物用中敷
１１，１３…シート部材
２１，３２１…銅板
２３１，２３２，２３３…磁石
【図１】
2018086253.tif 000003
【図２】
2018086253.tif 000004
【図３】
2018086253.tif 000005
【図４】
2018086253.tif 000006
【図５】
2018086253.tif 000007
【図６】
2018086253.tif 000008
【図７】
2018086253.tif 000009